(57)【特許請求の範囲】
【請求項１】
番組を放送する高品質放送と、前記高品質放送で放送される番組と同じ番組を前記高品質放送と同時に放送する第１の低品質放送と、前記高品質放送で放送された番組を当該番組の前記高品質放送による放送後に放送する第２の低品質放送とを放送するテレビ放送システムであって、前記高品質放送で放送される番組を表す番組データは、前記第１の低品質放送及び第２の低品質放送で放送される番組を表す番組データよりも、少なくとも映像を高品質に表すものであるテレビ放送システムに適用される放送受信機であって、
ユーザの前記高品質放送で放送される番組の視聴の指定時に、前記高品質放送の受信品質が良好である場合には前記高品質放送から番組データを受信して再生出力し、前記高品質放送の受信品質が不良である場合には前記第１の低品質放送から番組データを受信して再生出力する番組出力手段と、
ユーザの前記高品質放送で放送される番組の視聴の指定時に、前記番組出力手段が受信した番組データを当該番組の録画データとして記録する録画手段と、
前記第２の低品質放送で放送される番組の視聴の指定時に、当該視聴を指定された番組と同じ番組の録画データが記録されている場合に、前記第２の低品質放送で放送される番組の再生期間のうちの、前記高品質放送の放送から受信した当該再生期間に対応する期間の番組データが録画データに含まれている再生期間は、当該録画データに含まれる番組データを再生出力し、前記高品質放送の放送から受信した当該再生期間に対応する期間の番組データが録画データに含まれていない期間は、前記第２の低品質放送から受信した番組データを再生出力する再放送出力手段とを有することを特徴とする放送受信機。
【請求項２】
請求項１記載の放送受信機であって、
前記再放送出力手段は、ユーザの前記第２の低品質放送で放送される番組の視聴の指定時に、当該視聴を指定された番組と同じ番組の録画データが記録されている場合に、前記第２の低品質放送で放送される番組の再生期間のうちの、前記第１の低品質放送から受信した当該再生期間に対応する期間の番組データが録画データに含まれている期間であって、前記第２の低品質放送の受信品質の不良が発生している再生期間は、当該録画データに含まれる番組データを再生出力することを特徴とする放送受信機。
【請求項３】
番組を放送する高品質放送と、前記高品質放送で放送される番組と同じ番組を前記高品質放送と同時に放送する第１の低品質放送と、前記高品質放送で放送された番組を当該番組の前記高品質放送による放送後に放送する第２の低品質放送とを放送するテレビ放送システムであって、前記高品質放送で放送される番組を表す番組データは、前記第１の低品質放送及び第２の低品質放送で放送される番組を表す番組データよりも、少なくとも映像を高品質に表すものであるテレビ放送システムに適用される放送受信機であって、
ユーザの前記高品質放送で放送される番組の視聴の指定時に、前記高品質放送の受信品質が良好である場合には前記高品質放送から番組データを受信して再生出力し、前記高品質放送の受信品質が不良である場合には前記第１の低品質放送から番組データを受信して再生出力する番組出力手段と、
ユーザの前記高品質放送で放送される番組の視聴の指定時に、前記番組出力手段が受信した番組データを当該番組の録画データとして記録する録画手段と、
前記第２の低品質放送で放送される番組の視聴の指定時に、当該視聴を指定された番組と同じ番組の録画データが記録されている場合に、前記第２の低品質放送で放送される番組の再生期間のうちの、当該再生期間に対応する期間の有効な番組データが録画データに含まれている再生期間は、当該録画データに含まれる番組データを再生出力し、当該再生期間に対応する期間の有効な番組データが録画データに含まれていない期間は、前記第２の低品質放送から受信した番組データを再生出力する再放送出力手段とを有することを特徴とする放送受信機。
【請求項４】
請求項１、２または３記載の放送受信機であって、
前記録画手段は、前記番組の録画データの記録中に、前記高品質放送と前記第１の低品質放送の双方に受信品質の不良が生じた場合、前記第２の低品質放送による当該番組の再放送の視聴予約を登録し、
再放送出力手段は、前記登録された視聴予約に従って、前記第２の低品質放送で放送される番組の視聴の指定を受け付けることを特徴とする放送受信機。
【請求項５】
請求項１、２、３または４記載の放送受信機であって、
前記放送システムは地上波デジタルＴＶ放送を行う放送システムであって、
前記高品質放送はフルセグ放送による放送、前記第１の低品質放送と第２の低品質放送はワンセグ放送による放送であることを特徴とする放送受信機。
【発明の詳細な説明】
【技術分野】
【０００１】
本発明は、放送受信機において受信不良が発生した番組の視聴を支援する技術に関するものである。
【背景技術】
【０００２】
放送受信機において受信不良が発生した番組の視聴を支援する技術しては、番組を録画中に受信不良が発生し、録画データに番組データの欠損が生じた場合に、その後に行われる当該番組の再放送時に当該番組の番組データを受信して、当該番組の録画データの番組データの欠損を補完する技術が知られている（たとえば、特許文献１）。
【０００３】
また、同一番組を同時にフルセグ放送を用いた放送サービスとワンセグ放送を用いた放送サービスで放送するサイマル放送を行う地上波デジタルＴＶ放送を受信する放送受信機において、番組を録画する際に、フルセグ放送を受信可能な期間はフルセグ放送を用いた放送サービスで受信した番組データを録画データとして記録し、フルセグ放送を受信できずにワンセグ放送のみを受信可能な期間は、ワンセグ放送を用いた放送サービスで受信した番組データを録画データとして記録する技術も知られている（たとえば、特許文献２）。
【先行技術文献】
【特許文献】
【０００４】
【特許文献１】特開２００６-２２９７９４号公報
【特許文献２】特開２０１１-０１５１７５号公報
【発明の概要】
【発明が解決しようとする課題】
【０００５】
同一番組を同時にフルセグ放送を用いた放送サービスとワンセグ放送を用いた放送サービスで放送するサイマル放送を行う地上波デジタルＴＶ放送を受信する放送受信機を用いて番組を視聴中に受信不良が生じ、フルセグ放送もワンセグ放送も受信できなくなった、ユーザは当該番組を欠損なく視聴することができなくなる。
【０００６】
このような場合に、後に当該番組の再放送が行われる場合、ユーザが当該再放送を視聴すれば当該番組を欠損無く視聴できる可能性がある。しかしながら、フルセグ放送を用いた放送サービスとワンセグ放送を用いた二つの放送サービスを行う放送局において、ワンセグ放送を用いた一方の放送サービスをフルセグ放送を用いた放送サービスと同じ番組を同時に放送するサイマル放送に用い、ワンセグ放送を用いた他方の放送サービスをフルセグ放送を用いた放送サービスとは独立編成の番組の放送に用いる場合、番組の再放送がフルセグ放送を用いた放送サービスとは独立編成の番組としてワンセグ放送を用いた放送サービスでのみ行われることがある。
【０００７】
そして、このように番組の再放送がワンセグ放送を用いた放送サービスでのみ行われる場合、または、ユーザがワンセグ放送を用いた放送サービスでのみ再放送が行われる時間帯にしか当該番組を視聴できない場合、ユーザは、映像、音声の品質が低い状態でしか、当該番組を視聴することができなくなる。
【０００８】
そこで、本発明は、視聴中に受信不良のために欠損が生じた番組の再放送の視聴時に、できるだけ高品質に当該番組を視聴できるようにすることを課題とする。
【課題を解決するための手段】
【０００９】
前記課題達成のために、本発明は、番組を放送する高品質放送と、前記高品質放送で放送される番組と同じ番組を前記高品質放送と同時に放送する第１の低品質放送と、前記高品質放送で放送された番組を当該番組の前記高品質放送による放送後に放送する第２の低品質放送とを放送するテレビ放送システムであって、前記高品質放送で放送される番組を表す番組データは、前記第１の低品質放送及び第２の低品質放送で放送される番組を表す番組データよりも、少なくとも映像を高品質に表すものであるテレビ放送システムに適用される放送受信機に、ユーザの前記高品質放送で放送される番組の視聴の指定時に、前記高品質放送の受信品質が良好である場合には前記高品質放送から番組データを受信して再生出力し、前記高品質放送の受信品質が不良である場合には前記第１の低品質放送から番組データを受信して再生出力する番組出力手段と、ユーザの前記高品質放送で放送される番組の視聴の指定時に、前記番組出力手段が受信した番組データを当該番組の録画データとして記録する録画手段と、前記第２の低品質放送で放送される番組の視聴の指定時に、当該視聴を指定された番組と同じ番組の録画データが記録されている場合に、前記第２の低品質放送で放送される番組の再生期間のうちの、前記高品質放送の放送から受信した当該再生期間に対応する期間の番組データが録画データに含まれている再生期間は、当該録画データに含まれる番組データを再生出力し、前記高品質放送の放送から受信した当該再生期間に対応する期間の番組データが録画データに含まれていない期間は、前記第２の低品質放送から受信した番組データを再生出力する再放送出力手段とを備えたものである。
【００１０】
このような放送受信機によれば、録画データに高品質放送で受信した高品質の番組データが格納されている再生期間については、第２の低品質放送では放送されない高品質の番組データが再生、出力されることとなり、ユーザは、第２の低品質放送のみを視聴する場合に比べ、より高品質に番組を視聴できるようになる。
【００１１】
ここで、このような放送受信機は、前記再放送出力手段において、ユーザの前記第２の低品質放送で放送される番組の視聴の指定時に、当該視聴を指定された番組と同じ番組の録画データが記録されている場合に、前記第２の低品質放送で放送される番組の再生期間のうちの、前記第１の低品質放送から受信した当該再生期間に対応する期間の番組データが録画データに含まれている期間であって、前記第２の低品質放送の受信品質の不良が発生している再生期間は、当該録画データに含まれる番組データを再生出力するように構成してもよい。
【００１２】
このようにすることにより、第２の低品質放送に受信不良が生じた期間については、録画データによって番組データが代替されるので、ユーザは第２の低品質放送のみを視聴する場合に比べ、より欠損なく番組を視聴できる。
また、前記課題達成のために本発明は、番組を放送する高品質放送と、前記高品質放送で放送される番組と同じ番組を前記高品質放送と同時に放送する第１の低品質放送と、前記高品質放送で放送された番組を当該番組の前記高品質放送による放送後に放送する第２の低品質放送とを放送するテレビ放送システムであって、前記高品質放送で放送される番組を表す番組データは、前記第１の低品質放送及び第２の低品質放送で放送される番組を表す番組データよりも、少なくとも映像を高品質に表すものであるテレビ放送システムに適用される放送受信機に、ユーザの前記高品質放送で放送される番組の視聴の指定時に、前記高品質放送の受信品質が良好である場合には前記高品質放送から番組データを受信して再生出力し、前記高品質放送の受信品質が不良である場合には前記第１の低品質放送から番組データを受信して再生出力する番組出力手段と、ユーザの前記高品質放送で放送される番組の視聴の指定時に、前記番組出力手段が受信した番組データを当該番組の録画データとして記録する録画手段と、前記第２の低品質放送で放送される番組の視聴の指定時に、当該視聴を指定された番組と同じ番組の録画データが記録されている場合に、前記第２の低品質放送で放送される番組の再生期間のうちの、当該再生期間に対応する期間の有効な番組データが録画データに含まれている再生期間は、当該録画データに含まれる番組データを再生出力し、当該再生期間に対応する期間の有効な番組データが録画データに含まれていない期間は、前記第２の低品質放送から受信した番組データを再生出力する再放送出力手段とを備えたものである。
【００１３】
このような放送受信機によっても、録画データに高品質放送で受信した高品質の番組データが格納されている再生期間については、第２の低品質放送では放送されない高品質の番組データが再生、出力されることとなり、ユーザは、第２の低品質放送のみを視聴する場合に比べ、より高品質に番組を視聴できるようになる。また、第２の低品質放送に受信不良が生じても、録画データによって番組データが代替されるので、ユーザは第２の低品質放送のみを視聴する場合に比べ、より欠損なく番組を視聴できる。
【００１４】
ここで、以上のような各放送受信機は、前記録画手段において、前記番組の録画データの記録中に、前記高品質放送と前記第１の低品質放送の双方に受信品質の不良が生じた場合、前記第２の低品質放送による当該番組の再放送の視聴予約を登録し、再放送出力手段において、前記登録された視聴予約に従って、前記第２の低品質放送で放送される番組の視聴の指定を受け付けるように構成してもよい。
【００１５】
また、以上のような放送受信機において、前記放送システムはたとえば、地上波デジタルＴＶ放送を行う放送システムであり、前記高品質放送はフルセグ放送による放送、前記第１の低品質放送と第２の低品質放送はワンセグ放送による放送である。
【発明の効果】
【００１６】
以上のように、本発明によれば、視聴中に受信不良のために欠損が生じた番組の再放送の視聴時に、できるだけ高品質に当該番組を視聴できるようにすることができる。
【図面の簡単な説明】
【００１７】
【図１】本発明の実施形態に係る放送受信機の構成を示すブロック図である。
【図２】本発明の実施形態に係る受信不良番組録画処理を示すフローチャートである。
【図３】本発明の実施形態に係る録画動作と受信状態テーブルを示す図である。
【図４】本発明の実施形態に係る再放送出力処理を示すフローチャートである。
【図５】本発明の実施形態に係る再放送出力処理の処理例を示す図である。
【発明を実施するための形態】
【００１８】
以下、本発明の実施形態について自動車に搭載された、地上波デジタルＴＶ放送を受信する放送受信機への適用を例にとり説明する。
ここで、本実施形態に係る放送受信機は、地上波デジタルＴＶ放送の各周波数チャネル（物理チャネル）で、フルセグ放送を用いて番組を放送する放送サービス（以下、「フルセグ放送サービス」と呼ぶ）と、ワンセグ放送を用いて番組を放送する二つの放送サービスが提供される放送システムに適用されるものである。ここで、広帯域のフルセグ放送サービスで放送される番組の番組データは、狭帯域ワンセグ放送を用いて番組を放送する二つの放送サービスで放送される番組の番組データよりも、高品質の番組データ（高品質に番組の映像や音声を表した番組データ）となる。
【００１９】
また、この放送システムにおいて、ワンセグ放送を用いた二つの放送サービスは、同周波数チャネルのフルセグ放送を用いた放送サービスと同一の番組を当該フルセグ放送と同時に放送するサイマル放送が行われる放送サービス（以下、「ワンセグサイマル放送サービス」と呼ぶ）と、同周波数チャネルのフルセグ放送を用いた放送サービスとは独立編成の番組の放送が行われる放送サービス（以下、「ワンセグ独立編成放送サービス」と呼ぶ）とよりなるものである。
【００２０】
さて、図１に、本実施形態に係る放送受信機の構成を示す。
図示するように、放送受信機は、アンテナ１、フロントエンド部２、復調部３、ビデオデコーダ４、出力処理部５、アンプやスピーカなどを備えた音声出力装置６、表示装置７、入力装置８、制御部９、記録装置１０を備えている。
このような構成において、フロントエンド部２は、制御部９から受信チャネルとして指定された周波数チャネルを受信し、受信信号を復調部３に出力する。復調部３は、入力する受信信号に対して所定の復調／復号処理を行って受信チャネルで受信した各放送サービスのＴＳ（Transport Stream）、を復元し、ビデオデコーダ４に送る。
【００２１】
ビデオデコーダ４は、各ＴＳに含まれる番組データ（映像データや音声データ）をデコードし、デコードした映像信号と音声信号とを出力処理部５に出力し、デコードした各種制御情報を制御部９に出力する。
出力処理部５は、制御部９の制御に従って、ビデオデコーダ４から入力する映像信号を表示装置７に表示したり、ビデオデコーダ４から入力する音声信号を音声出力装置６に出力したり、制御部９から指定されたユーザ操作受付用のメニュー画面を表示装置７に表示したり、制御部９から指定された操作案内音声を音声出力装置６に出力する処理を行う。
【００２２】
また、復調部３は、フロントエンド部２の受信電界強度などを参照して、現在の受信チャネルの受信信号のＣ／Ｎ（Carrier to Noise Ratio;搬送波電力対雑音電力比）や、現在の受信チャネルで放送されている各ＴＳのBER（Bit Error Rate;ビット誤り率）を受信品質として測定し制御部９に通知する。
【００２３】
ここで、制御部９は、ユーザからリモコンチャネル番号等により視聴を指定された、特定の周波数チャネルの、当該特定の周波数チャネルで放送されている特定の放送サービスを受信対象放送とする。そして、当該受信対象放送が行われている周波数チャネルを受信チャネルとしてフロントエンド部２に指定すると共に、受信チャネルで放送されている受信対象放送のＴＳをデコードした映像信号と音声信号を出力処理部５に表示装置７や音声出力装置６に出力させる制御を行う。
【００２４】
また、制御部９は、受信対象放送がフルセグ放送サービスやワンセグサイマル放送サービスである場合には、復調部３から通知される受信チャネルの受信信号のＣ／Ｎや、受信対象放送のＴＳの受信品質に応じて、受信対象放送を、受信チャネルで放送されているフルセグ放送サービスとワンセグサイマル放送との間で切り替える。すなわち、受信品質が、フルセグ放送サービスを正常に受信可能なほどに良好なときには、受信対象放送をフルセグ放送サービスとし、そうではない場合には、受信対象放送をワンセグサイマル放送サービスとする。
【００２５】
次に、本実施形態において、記録装置１０に記憶される各種データについて説明する。
図示するように、記録装置１０には、番組を録画した録画データ、録画データ毎に設けられた録画ソーステーブル、視聴予約番組テーブル、ＥＰＧデータが格納される。
ここで、ＥＰＧデータは、電子番組表であり、各周波数チャネルの各放送サービスによって、各日の各時間帯に放送される番組を示すものである。なお、ＥＰＧデータは、地上波デジタルＴＶ放送の各周波数チャネルの各放送サービスのＴＳに含まれるＥＩＴから取得することができる。ただし、ＥＰＧデータは、別途、ＥＰＧデータを提供するサーバより通信を介して取得する等、他の手段により取得するようにしてもよい。
【００２６】
次に、制御部９が行う受信不良番組録画処理について説明する。
図２に、この受信不良番組録画処理の手順を示す。
図示するように、この処理では、フルセグ放送サービスまたはワンセグサイマル放送サービスからの新たな番組の受信の開始を監視する（ステップ２０２）。ここでは、受信チャネルや受信対象放送の切替によらない、受信対象放送で受信するＴＳのＥＩＴが示す現在の番組の識別情報の変化、受信チャネルの周波数チャネル間の切替、受信対象放送の同周波数チャネル内のフルセグ放送サービスとワンセグ独立編成放送サービス間の切替、受信対象放送の同周波数チャネル内のワンセグサイマル放送サービスとワンセグ独立編成放送サービス間の切替を、新たな番組の受信の開始として検出する。一方、受信対象放送の同周波数チャネル内のフルセグ放送サービスとワンセグサイマル放送サービス間での切替は、新たな番組の受信の開始としては検出しない。
【００２７】
そして、新たな番組の受信が開始したならば、ＥＰＧデータを参照し、現在、受信対象放送で受信している番組と同じ番組の、ワンセグ独立編成放送サービスによる再放送が将来予定されているかどうかを調べる（ステップ２０４）。
そして、再放送が予定されていない場合にはステップ２０２に戻り、再放送が予定されている場合には、受信対象放送で受信開始した番組の録画を開始し（ステップ２０６）、以降、ビデオデコーダ４や記録装置１０を制御し、受信対象放送で受信した当該番組データを録画データとして記録装置１０に記録していく。また、録画を開始した録画データに対応する録画ソーステーブルを記録装置１０に作成し、録画ソーステーブルに、現在の再生時刻（番組開始時点からの経過時刻）と録画ソースとを登録する（ステップ２０８）。
【００２８】
ここで、録画ソースは、録画データとして記録する番組データの受信元の放送サービスがフルセグ放送サービスであるときには「フルセグ」、録画データとして記録する番組データの受信元の放送サービスがワンセグサイマル放送サービスであるときには「ワンセグ」、録画データとして記録する番組データの受信元の放送サービスが無いときには「無」となる。
【００２９】
ここで、上述のように、受信対象放送は、制御部９によって、受信品質に応じて、受信チャネルで放送されているフルセグ放送サービスとワンセグサイマル放送との間で切り替えられる。したがって、受信チャネルの受信品質がフルセグ放送サービスから正常に番組データを受信できるほどに良好なときには、録画ソースは「フルセグ」となり、受信チャネルの受信品質がフルセグ放送サービスを正常に受信できず、ワンセグサイマル放送サービスから正常に番組データを受信できる程度に良好である場合には、録画ソースは「ワンセグ」となる。また、受信チャネルの受信品質がフルセグ放送サービスからもワンセグサイマル放送サービスからも正常に番組データを受信できない程に劣化している場合には、録画ソースは「無」となる。
【００３０】
そして、以降、ステップ２０２で受信開始を検出した番組の受信の終了が発生するまで（ステップ２１２）、放送受信状態が変化し、録画ソースが変化する度に（ステップ２１０）、録画ソーステーブルに、その時点の再生時刻と録画ソースを登録していく（ステップ２０８）。
【００３１】
ただし、番組の受信の終了は、受信チャネルや受信対象放送の切替によらない、受信対象放送で受信するＴＳのＥＩＴが示す現在の番組の識別情報の変化、受信チャネルの周波数チャネル間の切替、受信対象放送の同周波数チャネル内のフルセグ放送サービスとワンセグ独立編成放送サービス間の切替、受信対象放送の同周波数チャネル内のワンセグサイマル放送サービスとワンセグ独立編成放送サービス間の切替を、番組の受信の終了として検出する。一方、受信対象放送の同周波数チャネル内のフルセグ放送サービスとワンセグサイマル放送サービス間での切替は、番組の受信の終了としては検出しない。
【００３２】
そして、ステップ２０２で受信開始を検出した番組の受信の終了が発生したならば（ステップ２１２）、録画を終了し（ステップ２１４）、録画中に受信不良、すなわち、番組データを記録できていない状態が発生したかどうかを、録画ソーステーブルへの「無」の登録の有無より参照して調べ（ステップ２１６）、発生していなければ、今回作成した録画データと録画ソーステーブルを消去し（ステップ２１８）、ステップ２０２からの処理に戻る。
【００３３】
一方、録画中に受信不良が発生していれば、ステップ２０４で検出している、録画した番組の再放送に相当する番組の視聴予約を、当該再放送の放送時間帯、当該再放送の周波数チャネル、当該再放送の番組の放送が行われる放送サービスの識別（ここでは、ワンセグ独立編成放送サービスの識別）、今回録画した録画データの識別と共に視聴予約テーブルに登録し（ステップ２２０）、ステップ２０２からの処理に戻る。
【００３４】
なお、ステップ２２０では、再放送を視聴予約したことを、「番組ＺのＡ時Ｂ分からの再放送の視聴予約を行いました。」といったようなメッセージの、表示装置７への表示や、音声出力装置６からの音声出力により、ユーザに通知する処理も行うようにしてもよい。
【００３５】
以上、制御部９が行う受信不良番組録画処理について説明した。
このような受信番組録画処理によれば、たとえば、図３ａ１に示すように、受信対象放送がフルセグ放送サービスであるときに、受信対象放送において番組Ｚの再生時間Ｔａにおいて番組Ｚの新たな受信が開始されると、当該番組Ｚの録画が開始される。
そして、番組Ｚの再生時間Ｔａ-Ｔｂの期間中は、受信チャネルの受信品質がフルセグ放送サービスを正常に受信できるレベルにあり、番組Ｚの再生時間Ｔｂ-Ｔｃの期間中は、受信チャネルの受信品質がフルセグ放送サービスを正常に受信できず、かつ、ワンセグサイマル放送サービスを正常に受信できるレベルにあり、番組Ｚの再生時間Ｔｃ-Ｔｄの期間中は受信チャネルの受信品質がフルセグ放送サービスもワンセグサイマル放送サービスも正常に受信できないレベルにあり、番組Ｚの再生時間Ｔｄ-Ｔｅの期間中は、受信チャネルの受信品質がフルセグ放送サービスを正常に受信できるレベルにあり、番組Ｚの再生時間Ｔｅ-Ｔｆの期間中は、受信チャネルの受信品質がフルセグ放送サービスを正常に受信できず、かつ、ワンセグサイマル放送サービスを正常に受信できるレベルにあったものとする。
【００３６】
この場合、フルセグ放送サービスを正常受信できるＴａ-Ｔｂの再生時間帯、Ｔｄ-Ｔｅの再生時間帯については、フルセグ放送サービスで受信した高品質の番組データが録画データに格納されていくこととなる。また、フルセグ放送サービスを正常受信できず、ワンセグサイマル放送サービスを正常受信できるＴｂ-Ｔｃの再生時間帯、Ｔｅ-Ｔｆの再生時間帯については、ワンセグサイマル放送サービスで受信した低品質の番組データが録画データに格納されていくこととなる。また、フルセグ放送サービスもワンセグサイマル放送サービスも正常受信できないＴｃ-Ｔｄの再生時間帯については、録画データに番組データが格納されず、欠損することとなる。
【００３７】
なお、録画データは、図３ａ２のように、フルセグ放送サービスで受信した番組データを格納した録画データと、ワンセグサイマル放送サービスで受信した番組データを格納した録画データとをそれぞれに設けるようにしてもよい。
また、以上のような場合、番組Ｚの録画データに対応する録画ソーステーブルには、図３ｂに示すように、録画データに格納された番組データの受信元の放送サービス（録画ソース）の切り替わりの時刻と、当該時刻における切り替わり後の録画ソースとが登録される。したがって、このような録画ソーステーブルから、各再生時間帯について録画データに格納されている番組データが、フルセグ放送サービスで受信した高品質の番組データであるのか、ワンセグサイマル放送サービスで受信した低品質の番組データであるのか、それとも番組データが欠損しているのかを識別できるようになる。
【００３８】
次に、制御部９が行う再放送出力処理について説明する。
図４に、この再放送出力処理の手順を示す。
図示するように、この処理では、視聴予約テーブルに登録されている視聴予約された番組の放送開始時刻が到来したならば（ステップ４０２）、当該番組の放送が行われる放送サービスの周波数チャネルを受信チャネル、当該番組の放送が行われる放送サービスを受信対象放送に設定することにより、当該番組の受信を開始させる（ステップ４０４）。ただし、ステップ４０４では視聴予約した番組の視聴の要否をユーザに問い合わせ、視聴の旨の指示があった場合にのみ、視聴予約された番組の受信を開始するようにしてもよい。
【００３９】
そして、当該受信を開始した番組の放送が終了するまで（ステップ４０６）、以下の処理を行う。
すなわち、当該受信を開始した番組の視聴予約と共に視聴予約テーブルに識別が登録されている録画データを対応録画データとして、当該対応録画データに、現在の受信番組再生時間（受信している番組の現在の再生時間）に対応する再生時間の、フルセグ放送サービスで受信した番組データが含まれている期間中は（ステップ４０８）、ビデオデコーダ４や出力処理部５が、対応録画データに含まれている番組データの再生、および、表示装置７、音声出力装置６への出力を、現在の受信番組再生時間に対応する再生時間の番組データが出力されるように行うよう制御する（ステップ４１０）。なお、対応録画データに、現在の受信番組再生時間に対応する再生時間の、フルセグ放送サービスで受信した番組データが含まれているかどうかは、対応録画データに対応する録画ソーステーブルを参照して判定する。
【００４０】
一方、記録装置１０に記録されている対応録画データに、現在の受信番組再生時間に対応する再生時間の、フルセグ放送サービスで受信した番組データが含まれておらず（ステップ４０８）、かつ、ステップ４０４で受信を開始した番組の受信不良が生じていない期間中は（ステップ４１２）、ビデオデコーダ４や出力処理部５が、受信している番組データの再生、および、表示装置７、音声出力装置６への出力を行うよう制御する（ステップ４１４）。
【００４１】
一方、記録装置１０に記録されている対応録画データに、現在の受信番組再生時間に対応する再生時間の、フルセグ放送サービスで受信した番組データが含まれておらず（ステップ４０８）、ステップ４０４で受信を開始した番組の受信不良が生じている期間中は（ステップ４１２）、記録装置１０に記録されている対応録画データに、現在の受信番組再生時間に対応する再生時間の、ワンセグサイマル放送サービスで受信した番組データが含まれているときには（ステップ４１６）、ビデオデコーダ４や出力処理部５が、対応録画データに含まれている番組データの再生、および、表示装置７、音声出力装置６への出力を、現在の受信番組再生時間に対応する再生時間の番組データが出力されるように行うよう制御し（ステップ４１８）、ワンセグサイマル放送サービスで受信した番組データが含まれていないときには（ステップ４１６）、受信エラーを表示装置７に表示する（ステップ４２０）。なお、対応録画データに、現在の受信番組再生時間に対応する再生時間の、ワンセグサイマル放送サービスで受信した番組データが含まれているかどうかは、対応録画データに対応する録画ソーステーブルを参照して判定する。
【００４２】
そして、ステップ４０４で受信を開始した番組の放送が終了したならば（ステップ４０６）、ステップ４０２からの処理に戻る。
以上、制御部９が行う再放送出力処理について説明した。
なお、以上の再放送出力処理における再生、出力する番組データの、録画データの番組データと、ワンセグ独立編成放送サービスで受信した番組データとの間の切替は、当該切替がシームレスに行われるように、たとえば、録画データ中の各番組データの再生と、ワンセグ独立編成チャネルで受信した再放送番組の再生とを、再放送番組の受信中、常に並行して行っておくようにしてもよい。また、この場合には、録画データ中の各番組データの再生開始時間を調整し、録画データ中の、再放送番組の再生時間位置と同じ再生時間位置の番組データが再生されるようにすれば、番組データの切替を、よりシームレスに行えるようになる。
【００４３】
ここで、図５ａに、このような再放送出力処理の処理例を示す。
いま、図示するように、再生時間帯Ｔ１のフルセグ放送サービスで受信した高品質の番組データと、再生時間帯Ｔ２のワンセグサイマル放送サービスで受信した低品質の番組データと、再生時間帯Ｔ４のフルセグ放送サービスで受信した高品質の番組データと、再生時間帯Ｔ５-Ｔ７のワンセグサイマル放送サービスで受信した低品質の番組データを格納し、かつ、再生時間帯Ｔ３において番組データが欠損している番組Ｚの録画データが存在するものとする。
【００４４】
また、ワンセグ独立編成放送サービスによって再放送された番組Ｚの番組データを、再生時間帯Ｔ１-Ｔ５、Ｔ７は正常に受信でき、再生時間帯Ｔ６は正常に受信できなかったものとする。
この場合、ワンセグ独立編成放送サービスによって再放送された番組Ｚの受信が開始されると、受信番組再生時間を再生時間として、録画データにフルセグ放送サービスで受信した高品質の番組データが格納されている再生時間帯Ｔ１、Ｔ４については、高品質の録画データの再生出力が行われる。
【００４５】
また、録画データにフルセグ放送サービスで受信した高品質の番組データが格納されておらず、ワンセグ独立編成放送サービスから番組データを正常に受信できている再生時間帯Ｔ２-Ｔ３、Ｔ５、Ｔ７については、ワンセグ独立編成放送サービスから受信した低品質の番組データが再生、出力される。
【００４６】
また、残る録画データにフルセグ放送サービスで受信した高品質の番組データが格納されておらず、ワンセグ独立編成放送サービスから番組データを正常に受信できていない再生時間帯Ｔ６については、録画データにワンセグサイマル放送サービスで受信した低品質の番組データが格納されている場合には、当該番組データが再生、出力される。
【００４７】
結果、録画データにフルセグ放送サービスで受信した高品質の番組データが格納されている再生時間帯については、ワンセグ独立編成放送サービスでは放送されない高品質の番組データが再生、出力されることとなり、ユーザは、ワンセグ独立編成放送サービスから受信した番組のみを視聴する場合に比べ、より高品質に番組を視聴できるようになる。また、ワンセグ独立編成放送サービスの番組データ受信不良が生じた期間については、番組データを録画データ中の番組データで代替することができるので、ユーザはワンセグ独立編成放送サービスを視聴する場合に比べ、より欠損少なく番組を視聴できるようになる。
【００４８】
なお、以上の再放送出力処理では、図５ｂに示したように、記録装置１０に記録されている対応録画データに、現在の受信番組再生時間に対応する再生時間の、フルセグ放送サービスで受信した番組データも、ワンセグサイマル放送サービスで受信した番組データも含まれていない期間中のみ、受信している番組データの再生、および、表示装置７、音声出力装置６への出力を制御し、記録装置１０に記録されている対応録画データに、現在の受信番組再生時間に対応する再生時間の、フルセグ放送サービスで受信した番組データもしくはワンセグサイマル放送サービスで受信した番組データが含まれている期間中は、対応録画データに含まれている番組データの再生、および、表示装置７、音声出力装置６への出力を制御するようにしてもよい。
【００４９】
すなわち、この場合には、図５ｂに示すように、録画データにフルセグ放送サービスで受信した高品質の番組データが格納されている再生時間帯Ｔ１、Ｔ４については、高品質の録画データの再生出力をおこなう。
また、録画データにフルセグ放送サービスで受信した高品質の番組データが格納されておらず、ワンセグサイマル放送サービスで受信した低品質の番組データが格納されている再生時間帯Ｔ２、Ｔ５-Ｔ７については、低品質の録画データの再生出力を行う。
そして、録画データに番組データが欠損している再生時間帯Ｔ３についてのみ、ワンセグ独立編成放送サービスから受信した低品質の番組データを再生、出力する。
このようにしても、録画データにフルセグ放送サービスで受信した高品質の番組データが格納されている再生時間帯については、ワンセグ独立編成放送サービスでは放送されない高品質の番組データが再生、出力されることとなり、ユーザは、ワンセグ独立編成放送サービスを視聴する場合に比べ、より高品質に、また、欠損少なく番組を視聴できるようになる。
【００５０】
以上、本発明の実施形態について説明した。
【符号の説明】
【００５１】
１…アンテナ、２…フロントエンド部、３…復調部、４…ビデオデコーダ、５…出力処理部、６…音声出力装置、７…表示装置、８…入力装置、９…制御部、１０…記録装置。
【図１】
0005653309.tif 000002
【図２】
0005653309.tif 000003
【図３】
0005653309.tif 000004
【図４】
0005653309.tif 000005
【図５】
0005653309.tif 000006